【手続補正書】
【提出日】平成22年4月28日(2010.4.28)
【手続補正１】
【補正対象書類名】特許請求の範囲
【補正対象項目名】全文
【補正方法】変更
【補正の内容】
【特許請求の範囲】
【請求項１】
光源を受け入れるように構成されている照明モジュールと、
前記照明モジュールにリンク可能に構成されているコントローラとを備え、
前記照明モジュールのモジュールリンク識別および前記コントローラのコントローラリンク識別のうちの少なくとも１つを前記コントローラと前記照明モジュールとの間で交換することにより、前記コントローラと前記照明モジュールとの間のリンクを確立でき、
前記コントローラは、前記照明モジュールのモジュールリンク識別および前記コントローラのコントローラリンク識別のうちの前記少なくとも１つを交換するよう前記照明モジュールをポイントするためのレーザーポンターを含む、照明システム。
【請求項２】
前記照明モジュールに対して前記コントローラをポイントすること、前記コントローラを前記照明モジュールに接触させること、前記コントローラと前記照明モジュールとを互いに接近させること、およびディスプレイから前記照明モジュールを選択することのうちの１つを含むジェスチャーに基づき、前記リンクを確立できるようになっている、請求項１に記載の照明システ
ム。
【請求項３】
前記照明モジュールは、モジュールリンクサブシステムを備え、前記コントローラは、コントローラリンクサブシステムを備え、前記モジュールリンクサブシステムおよび前記コントローラリンクサブシステムは、前記モジュールリンク識別および前記コントローラリンク識別のうちの前記少なくとも１つを交換するように構成されている、請求項１に記載の照明システム。
【請求項４】
前記照明モジュールのモジュールコマンド識別および前記コントローラのコントローラコマンド識別のうちの少なくとも１つを、前記コントローラと前記照明モジュールとの間で交換することにより、前記リンクを更に確立できる、請求項１に記載の照明システム。
【請求項５】
前記照明モジュールは通信サブシステムを備え、前記コントローラは、コントローラ通信サブシステムを備え、前記モジュール通信サブシステムおよび前記コントローラ通信サブシステムは、前記モジュールコマンド識別および前記コントローラコマンド識別のうちの前記少なくとも１つを交換するように構成されている、請求項４に記載の照明システム。
【請求項６】
前記照明モジュールは、モジュールリンクサブシステムおよびモジュール通信サブシステムを備え、前記コントローラは、コントローラリンクサブシステムおよびコントローラ通信サブシステムを備え、前記モジュールリンクサブシステムおよび前記コントローラリンクサブシステムは、前記モジュールリンク識別および前記コントローラリンク識別のうちの前記少なくとも１つを交換するように構成されており、前記コントローラ通信サブシステムは、前記コントローラリンクサブシステムからの前記モジュールリンク識別を受信し、前記光源を制御するためのコマンドを発生するように構成されている、請求項１に記載の照明システム。
【請求項７】
前記照明モジュールは、モジュールリンクサブシステムおよびモジュール通信サブシステムを備え、前記コントローラは、コントローラリンクサブシステムおよびコントローラ通信サブシステムを備え、前記モジュールリンクサブシステムおよび前記コントローラリンクサブシステムは、前記モジュールリンク識別および前記コントローラリンク識別のうちの前記少なくとも１つを交換するように構成されており、前記モジュール通信サブシステムおよび前記コントローラ通信サブシステムは、前記モジュールコマンド識別および前記コントローラコマンド識別のうちの前記少なくとも１つを交換するように構成されている、請求項１に記載の照明システム。
【請求項８】
更に別のコントローラを備え、この別のコントローラは、前記コントローラの設定をコピーするように構成されている、請求項１に記載の照明システム。
【請求項９】
前記コントローラは、ポータブルコントローラである、請求項１に記載の照明システム。
【請求項１０】
無線通信を通して前記リンクが確立される、請求項１に記載の照明システム。
【請求項１１】
別の照明モジュールにより別のリンクが確立されたときに、前記リンクが削除される、請求項１に記載の照明システム。
【請求項１２】
前記複数の照明モジュールを更に備え、前記コントローラは、前記少なくとも１つのグループに関連する光源を制御するよう、前記複数の前記照明モジュールの少なくとも１つのグループにリンクできるように構成されている照明システム。
【請求項１３】
前記少なくとも１つのグループのそれぞれのグループは、それぞれのグループ識別を有し、前記コントローラは、前記それぞれのグループ識別に基づき、前記それぞれのグループを制御するように構成されている、請求項１２に記載の照明システム。
【請求項１４】
前記コントローラは、前記それぞれのグループに関連する照明モジュールに対して前記コントローラをポインティングすること、前記照明モジュールに対して前記コントローラを接触させることおよびディスプレイから前記照明モジュールを選択することのうちの１つを含むジェスチャーに基づき、前記それぞれのグループ識別を受信するよう、前記それぞれのグループにリンク可能となっている、請求項１２に記載の照明システム。
【請求項１５】
追加照明モジュールを更に備え、これら追加照明モジュールは、モジュールの組にグループ分けされ、前記組の各々は、それぞれのグループ識別を有し、前記コントローラは、前記組のうちの第１の組、複数の前記組およびすべての前記組のうちの少なくとも１つを制御するように更に構成されている、請求項１に記載の照明システム。
【請求項１６】
前記コントローラは、前記それぞれのグループ識別によりモジュールの前記組を制御するように構成されている、請求項１５に記載の照明システム。
【請求項１７】
前記コントローラは、前記組のうちの少なくとも１つを制御するようになっている制御セッションのためのセッション識別を提供するように構成されている、請求項１５に記載の照明システム。
【請求項１８】
前記セッション識別は、前記組のうちの前記少なくとも１つを将来制御するために、前記コントローラのメモリ内に記憶されている、請求項１７に記載の照明システム。
【請求項１９】
コントローラに含まれるレーザーポンターで前記光源をポイントする工程と、
光源のソースリンク識別およびコントローラのコントローラリンク識別のうちの少なくとも１つを、前記コントローラと前記光源との間で交換する工程と、
前記コントローラと前記光源との間のリンクを確立する工程とを備える、光源を制御するための方法。
【請求項２０】
前記リンクを確立する工程は、前記光源に対して前記コントローラをポイントすること、前記光源に前記コントローラを接触させること、およびディスプレイから前記光源を選択することのうちの少なくとも１つを含む、請求項１９に記載の方法。
【請求項２１】
前記光源のソースコマンド識別および前記コントローラのコントローラコマンド識別のうちの少なくとも１つを前記コントローラと前記光源との間で交換する工程を更に含む、請求項１９に記載の方法。
【請求項２２】
別のコントローラに前記コントローラの設定をコピーする工程を更に備える、請求項１９に記載の方法。
【請求項２３】
別の光源により別のリンクが確立されたときに前記リンクを削除する工程を更に備える、請求項１９に記載の方法。
【請求項２４】
光源の少なくとも１つのグループをリンクする工程と、
前記１つのグループに関連するそれぞれの光源を制御するよう、前記少なくとも１つのグループのうちから１つのグループを選択する工程を更に備える、請求項１９に記載の方法。
【請求項２５】
前記少なくとも１つのグループのうちから複数のグループを選択する工程と、
前記複数のグループに関連するセッション識別を形成する工程と、
前記セッション識別に所定の設計を割り当てる工程と、
前記所定の設定に従い、前記セッション識別に関連する光源を制御する工程とを更に備える、請求項２４に記載の方法。